(57)【要約】【課題】複数のパイプ状の縦型貯留槽の位置決め作業を容易にし、これにより複数のパイプ状の縦型貯留槽を容易に設置できるとともに、複数のパイプ状の縦型貯留槽の見栄えを損なわない。【解決手段】単一の横型貯留槽１１が水平面内の一方向に延びた状態で地中に埋設され、横型貯留槽１１にその長手方向に間隔をあけて立設した状態で連通接続された複数のパイプ状の縦型貯留槽１２の中央部から上部が地上に突出しかつ上面が閉止される。雨水１６を縦型貯留槽１２に導くために流入管１７が縦型貯留槽１２のいずれかに接続され、横型貯留槽１１及び縦型貯留槽１２に貯留された雨水１６を利用するために給水管１８が横型貯留槽１１に接続される。複数の縦型貯留槽１２のいずれかの上部に排出管２４が接続される。【選択図】図１
2011001791.tif 000002
【特許請求の範囲】
【請求項１】
水平面内の一方向に延びた状態で地中に埋設され雨水(16)が貯留される単一の横型貯留槽(11)と、
前記横型貯留槽(11)にその長手方向に間隔をあけて立設した状態で連通接続され中央部から上部が地上にそれぞれ突出しかつ上面が閉止された複数のパイプ状の縦型貯留槽(12)と、
前記雨水(16)を前記縦型貯留槽(12)に導くために前記縦型貯留槽(12)のいずれかに接続された流入管(17)と、
前記横型貯留槽(11)及び前記縦型貯留槽(12)に貯留された雨水を利用するために前記横型貯留槽(11)に接続された給水管(18)と、
前記複数の縦型貯留槽(12)のいずれかの上部に接続された排出管(24)と
を備えたパイプ状の貯留槽を用いた雨水貯留装置。
【請求項２】
水平面内に一列に延びた状態で地中に埋設され雨水(16)が貯留される複数の横型貯留槽(51)と、
前記各横型貯留槽(51)にそれらの長手方向に間隔をあけて立設した状態でそれぞれ連通接続され中央部から上部が地上にそれぞれ突出しかつ上面が閉止された複数のパイプ状の縦型貯留槽(12)と、
前記雨水(16)を前記縦型貯留槽(12)に導くために前記複数の縦型貯留槽(12)のいずれかに接続された流入管(17)と、
前記複数の横型貯留槽(51)及び前記複数の縦型貯留槽(12)に貯留された雨水(16)を利用するために前記複数の横型貯留槽(51)のいずれか１つ又は２つ以上に接続された給水管(18)と、
前記複数の縦型貯留槽(12)のいずれかの上部に接続された排出管(24)と、
隣接する横型貯留槽(51)を連通接続する下部フレキシブル管(61)と
を備えたパイプ状の貯留槽を用いた雨水貯留装置。
【請求項３】
横型貯留槽(11,51)の上壁(11a,51a)にその長手方向に間隔をあけて縦型貯留槽(12)を挿通可能な複数の位置決め孔(11b,51b)がそれぞれ形成され、
前記横型貯留槽(11,51)の下壁(11c,51c)上面に前記複数の位置決め孔(11b,51b)と孔心が一致しかつ前記縦型貯留槽(12)を挿入可能な位置決め短管(11d,51d)がそれぞれ固着され、
縦型貯留槽(12)の下部が前記位置決め孔(11b,51b)を通って前記位置決め短管(11d,51d)に挿入され、
前記位置決め孔(11b,51b)と前記縦型貯留槽(12)外周面との隙間がシール部材(13)により塞がれ、
前記横型貯留槽(11,51)内に位置する前記縦型貯留槽(12)の下部に連通孔(12a)が形成された
請求項１又は２記載のパイプ状の貯留槽を用いた雨水貯留装置。
【請求項４】
複数の縦型貯留槽(12)のうち地上に突出する外周の一部又は全部に剛性ネット(26,66)が掛け渡された請求項１ないし３いずれか１項に記載のパイプ状の貯留槽を用いた雨水貯留装置。
【発明の詳細な説明】
【技術分野】
【０００１】
本発明は、家屋やビルディング等の建物の樋を流下する雨水を集めて貯留する装置に関する。更に詳しくは、地中に埋設された横型貯留槽に立設されたパイプ状の複数の縦型貯留槽を用いた雨水貯留装置に関するものである。
【背景技術】
【０００２】
従来、この種の雨水貯留装置として、雨水を貯留可能に構成された地下貯留槽と地上貯留槽とを備え、地上貯留槽が、地表に立てて並べられた複数のパイプ状の中空部材と、これらの中空部材の内部に形成された貯留室を互いに連通接続する連通管とを有する雨水貯留装置が開示されている（例えば、特許文献１参照。）。この雨水貯留装置では、複数のパイプ状の中空部材の内部が隔壁により区画されて中空部材の内部に貯留室と排出室が形成され、複数の中空部材のそれぞれの排出室が排水パイプにより互いに連通接続される。また地下貯留槽及び地上貯留槽に貯留された雨水が排水ポンプにより排出室に供給され、中空部材に設けられた排出バルブが排出室に供給された雨水を外部に排出可能に構成される。このように構成された雨水貯留装置では、貯留槽に貯留された雨水は排水ポンプを駆動することにより排水パイプを介して複数の中空部材における排出室に供給され、その中空部材に設けられた排出バルブを開放することにより雨水を比較的高い圧力で取出すことができる。また中空部材の大きさ及び本数を調整することにより、この雨水貯留装置が貯留し得る雨水の貯留量を比較的容易に増減できるようになっている。
【先行技術文献】
【特許文献】
【０００３】
【特許文献１】特開２００５−５４４４５号公報（請求項１、段落［００１５］、段落［００１８］、図１）
【発明の概要】
【発明が解決しようとする課題】
【０００４】
しかし、上記従来の特許文献１に示された雨水貯留装置では、地上貯留槽の複数のパイプ状の中空部材の位置決め作業が比較的煩わしい不具合があった。具体的には、複数のパイプ状の中空部材を一定間隔になるように正確に設置しないと、複数の中空部材を連通管及び排水パイプで接続することが困難になるという問題点があった。また複数のパイプ状の中空部材を鉛直方向に立設した状態に保持することが難しく、各中空部材が鉛直線に対して様々な方向に不規則に傾いてしまい、複数の中空部材の見栄えを損なう問題点もあった。
【０００５】
本発明の目的は、複数のパイプ状の縦型貯留槽の位置決め作業を容易に行うことができ、これにより複数のパイプ状の縦型貯留槽を容易に設置することができるとともに、複数のパイプ状の縦型貯留槽の見栄えを損なうことのない、パイプ状の貯留槽を用いた雨水貯留装置を提供することにある。
【課題を解決するための手段】
【０００６】
本発明の第１の観点は、図１に示すように、水平面内の一方向に延びた状態で地中に埋設され雨水１６が貯留される単一の横型貯留槽１１と、横型貯留槽１１にその長手方向に間隔をあけて立設した状態で連通接続され中央部から上部が地上にそれぞれ突出しかつ上面が閉止された複数のパイプ状の縦型貯留槽１２と、雨水１６を縦型貯留槽１２に導くために縦型貯留槽１２のいずれかに接続された流入管１７と、横型貯留槽１１及び縦型貯留槽１２に貯留された雨水１６を利用するために横型貯留槽１１に接続された給水管１８と、複数の縦型貯留槽１２のいずれかの上部に接続された排出管２４とを備えたパイプ状の貯留槽を用いた雨水貯留装置である。
【０００７】
本発明の第２の観点は、図５及び図８に示すように、水平面内に一列に延びた状態で地中に埋設され雨水が貯留される複数の横型貯留槽５１と、各横型貯留槽５１にそれらの長手方向に間隔をあけて立設した状態でそれぞれ連通接続され中央部から上部が地上にそれぞれ突出しかつ上面が閉止された複数のパイプ状の縦型貯留槽１２と、雨水１６を縦型貯留槽１２に導くために複数の縦型貯留槽１２のいずれかに接続された流入管１７と、複数の横型貯留槽５１及び複数の縦型貯留槽１２に貯留された雨水１６を利用するために複数の横型貯留槽５１のいずれか１つ又は２つ以上に接続された給水管１８と、複数の縦型貯留槽１２のいずれかの上部に接続された排出管２４と、隣接する横型貯留槽５１を連通接続する下部フレキシブル管６１とを備えたパイプ状の貯留槽を用いた雨水貯留装置である。
【０００８】
本発明の第３の観点は、第１又は第２の観点に基づく発明であって、更に図１に示すように、横型貯留槽１１の上壁１１ａにその長手方向に間隔をあけて縦型貯留槽１２を挿通可能な複数の位置決め孔１１ｂがそれぞれ形成され、横型貯留槽１１の下壁１１ｃ上面に複数の位置決め孔１１ｂと孔心が一致しかつ縦型貯留槽１２を挿入可能な位置決め短管１１ｄがそれぞれ固着され、縦型貯留槽１２の下部が位置決め孔１１ｂを通って位置決め短管１１ｄに挿入され、位置決め孔１１ｂと縦型貯留槽１２外周面との隙間がシール部材１３により塞がれ、横型貯留槽１１内に位置する縦型貯留槽１２の下部に連通孔１２ａが形成されたことを特徴とする。
【０００９】
本発明の第４の観点は、第１ないし第３の観点に基づく発明であって、更に図２及び図３に示すように、複数の縦型貯留槽１２のうち地上に突出する外周の一部又は全部に剛性ネット２６が掛け渡されたことを特徴とする。
【発明の効果】
【００１０】
本発明の第１の観点の装置では、複数のパイプ状の縦型貯留槽を、単一の横型貯留槽にその長手方向に間隔をあけて立設した状態で連通接続したので、上記縦型貯留槽の位置決め作業を容易に行うことができる。この結果、複数のパイプ状の縦型貯留槽を容易に設置することができる。また複数のパイプ状の縦型貯留槽の間隔が一定に保たれているので、隣接する縦型貯留槽の上部を上部連通管により連通接続する場合、同一長さの上部連通管を用いて比較的容易に連通接続することができる。
【００１１】
本発明の第２の観点の装置では、複数のパイプ状の縦型貯留槽を、各横型貯留槽にそれらの長手方向に間隔をあけて立設した状態でそれぞれ連通接続したので、各横型貯留槽毎における上記縦型貯留槽の位置決め作業を容易に行うことができる。この結果、各横型貯留槽毎に複数のパイプ状の縦型貯留槽を容易に設置することができる。また各横型貯留槽毎に複数のパイプ状の縦型貯留槽の間隔が一定に保持されるので、各横型貯留槽毎において隣接する縦型貯留槽の上部を上部連通管により連通接続する場合、同一長さの上部連通管を用いて比較的容易に連通接続することができる。また隣接する横型貯留槽を下部フレキシブル管により連通接続したので、各横型貯留槽の配置間隔が多少変化しても、その変化を下部フレキシブル管の伸縮により吸収できる。更に隣接する横型貯留槽を上部フレキシブル管により連通接続すれば、各横型貯留槽の配置間隔が多少変化しても、その変化を上部フレキシブル管の伸縮により吸収できる。
【００１２】
本発明の第３の観点の装置では、横型貯留槽の上壁に位置決め孔を形成し、横型貯留槽の下壁に位置決め短管を固着し、縦型貯留槽の下部を横型貯留槽の上壁の位置決め孔を通って位置決め短管に挿入したので、各縦型貯留槽が横型貯留槽の上壁及び下壁に対し全て直角方向に延びて配設される。この結果、横型貯留槽をその上壁及び下壁が水平になるように地中に埋設すれば、全ての縦型貯留槽が鉛直方向に延びた状態で地上に突出するので、これらの縦型貯留槽の見栄えを損なうことはない。
【００１３】
本発明の第４の観点の装置では、複数の縦型貯留槽のうち地上に突出する外周の一部又は全部に剛性ネットを掛け渡したので、バラ等のつる植物を剛性ネットに這わせて育成すれば、縦型貯留槽の周囲の見栄えを向上できるとともに、地球環境の改善を図ることもできる。
【図面の簡単な説明】
【００１４】
【図１】本発明第１実施形態の雨水貯留装置であって剛性ネットを取外した状態を示す図３のＡ−Ａ線断面図である。
【図２】その雨水貯留装置を示す図３のＢ矢視図である。
【図３】その雨水貯留装置を示す図２のＣ矢視図である。
【図４】その雨水貯留装置を示す図１のＤ−Ｄ線断面図である。
【図５】本発明第２実施形態の雨水貯留装置であって剛性ネットを取外した状態を示す図７のＥ−Ｅ線断面図である。
【図６】その雨水貯留装置を示す図７のＦ矢視図である。
【図７】その雨水貯留装置を示す図６のＧ矢視図である。
【図８】その雨水貯留装置を示す図５のＨ矢視図である。
【発明を実施するための形態】
【００１５】
次に本発明を実施するための形態を図面に基づいて説明する。
＜第１の実施の形態＞
図１に示すように、雨水貯留装置１０は、単一の横型貯留槽１１と、３本のパイプ状の縦型貯留槽１２とを備える。横型貯留槽１１は横方向に延びる直方体の箱状に形成され、水平面内の一方向に延びた状態で地中に埋設される。また縦型貯留槽１２は横型貯留槽１１にその長手方向に間隔をあけて立設した状態で連通接続され、横型貯留槽１１を地中に埋設したときに各縦型貯留槽１２は中央部から上部が地上にそれぞれ突出するように構成される。更に各縦型貯留槽１２の上面は閉止され、下面は開放される。なお、横型貯留槽１１は鋼板や繊維強化プラスチック（ＦＲＰ）等により形成され、縦型貯留槽１２は塩化ビニル製パイプやポリエチレン製パイプ等により形成される。また、縦型貯留槽１２の外径は２００〜６００ｍｍ、好ましくは３００〜５００ｍｍに設定され、縦型貯留槽１２の長さは２〜５ｍ、好ましくは３〜４ｍに設定される。更に横型貯留槽１１の高さは３００〜７００ｍｍ、好ましくは４００〜６００ｍｍに設定される。横型貯留槽１１の高さを３００〜７００ｍｍの範囲内に設定したのは、３００ｍｍ未満では３本の縦型貯留槽１２を横型貯留槽１１に立設したときに各縦型貯留槽１２が様々な方向に不規則に傾いてしまい、７００ｍｍを越えると地面１４の掘削作業性が悪くなるからである。
【００１６】
一方、横型貯留槽１１の上壁１１ａには、その長手方向に間隔をあけて３本の縦型貯留槽１２を挿通可能な３個の位置決め孔１１ｂがそれぞれ形成される。また横型貯留槽１１の下壁１１ｃ上面には、上記３個の位置決め孔１１ｂと孔心が一致しかつ縦型貯留槽１２を挿入可能な３個の位置決め短管１１ｄがそれぞれ固着される。縦型貯留槽１２の下部が位置決め孔１１ｂを通って位置決め短管１１ｄに挿入された状態で、位置決め孔１１ｂと縦型貯留槽１２外周面との隙間はシール部材１３により塞がれる。シール部材１３は、図１に詳しく示すように、位置決め孔１１ｂを囲むように横型貯留槽１１の上壁１１ａ上面に固着された嵌着用短管１３ａと、この嵌着用短管１３ａに嵌着される断面逆Ｕ字状の合成ゴム製のリング状パッキング１３ｂと、嵌着用短管１３ａより長くかつ大径に形成され嵌着用短管１３ａの外周面を囲むように横型貯留槽１１の上壁１１ａ上面に固着された抑え用短管１３ｃと、抑え用短管１３ｃ内周面と縦型貯留槽１２外周面とリング状パッキング１３ｂ上面とにより囲まれた空間に充填されるシーリング材１３ｄとを有する。なお、この実施の形態では、抑え用短管の内周面と縦型貯留槽の外周面とリング状パッキングの上面とにより囲まれた空間に、シーリング材ではなくモルタルを充填してもよい。
【００１７】
横型貯留槽１１に立設された３本の縦型貯留槽１２の下部には、横型貯留槽１１内に位置するように連通孔１２ａがそれぞれ形成される。これらの連通孔１２ａにより縦型貯留槽１２内部と横型貯留槽１１内部とが連通接続される。なお、上記連通孔１２ａは横型貯留槽１１の上部に位置するように縦型貯留槽１２に形成される。これは連通孔１２ａの上縁より上側の横型貯留槽１１内に空気が溜まるのを阻止するためである。ここで、横型貯留槽１１の下部に位置するように縦型貯留槽１２に孔（図示せず）を形成しておけば、横型貯留槽１１内の雨水１６の水位が低下したときに３本の縦型貯留槽１２内の雨水も同一水位で低下する。また３本の縦型貯留槽１２のいずれかには流入管１７が接続される。家屋やビルディング等の建物の屋根又は屋上に落下した雨水は樋（図示せず）などに集められ、この雨水は流入管１７を通って縦型貯留槽１２に導かれる。即ち、流入管１７の基端は樋に連通接続され、流入管１７の先端は右側の縦型貯留槽１２の上面に連通接続される。更に横型貯留槽１１の上壁１１ａには給水管１８の基端が横型貯留槽１１の下壁１１ｃ近傍まで延びて挿入され、この給水管１８の先端は横型貯留槽１１内及び縦型貯留槽１２内の雨水１６の利用先まで延びて設けられる。また給水管１８の途中には電動ポンプ１９が設けられ、この電動ポンプ１９は地面１４に架台２０を介して設置される。なお、３本の縦型貯留槽１２のうち左側の縦型貯留槽１２の中央部外周面には、給水短管２１の基端が接続される。この給水短管２１の先端には給水短管２１を開閉する蛇口２２が接続される（図１及び図２）。
【００１８】
一方、隣接する縦型貯留槽１２の上部は上部連通管２３により互いに連通接続される。具体的には、右側の縦型貯留槽１２の上部と中央の縦型貯留槽１２の上部が右側の上部連通管２３により連通接続され、中央の縦型貯留槽１２の上部と左側の縦型貯留槽１２の上部が左側の上部連通管２３により連通接続される。また３本の縦型貯留槽１２のいずれかの上部、この実施の形態では、３本の縦型貯留槽１２のうち右側の縦型貯留槽１２の上部には、排出管２４の基端が接続される。この排水管２４の先端は下水道や河川等（図示せず）に臨むように構成される。各縦型貯留槽１２の上部に溜まった空気は上部連通管２３及び排出管２４を通って縦型貯留槽１２外に排出され、各縦型貯留槽１２から溢れる雨水１６も上部連通管２３及び排出管２４を通って縦型貯留槽１２外に排出されるように構成される。
【００１９】
更に３本の縦型貯留槽１２のうち地上に突出する外周の全部に剛性ネット２６が掛け渡される（図２及び図３）。即ち、剛性ネット２６により３本の縦型貯留槽１２のうち地上に突出する外周を一括して囲むように構成される。この剛性ネット２６としては、ステンレス鋼等の金属線材を格子状に編むことにより形成されたネット、合成樹脂で被覆した金属線材を格子状に編むことにより形成されたネット、硬質の合成樹脂線材を格子状に編むことにより形成されたネット等が挙げられる。なお、３本の縦型貯留槽のうち地上に突出する外周の全部ではなく、３本の縦型貯留槽のうち地上に突出する外周の一部に剛性ネットを掛け渡してもよい。具体的には、平板状の剛性ネットを３本の縦型貯留槽のうち地上に突出する外周の共通接線方向に延びて掛け渡してもよい。
【００２０】
このように構成された雨水貯留装置１０の組立方法を説明する。先ず工場で横型貯留槽１１、３本の縦型貯留槽１２等の各部品をそれぞれ製作する。次いで雨水貯留装置１０を組立てずに部品の状態で工場から設置現場まで搬送する。このとき各部品は比較的コンパクトであるので、大型トラックを用いずに小型トラックで搬送することができる。設置現場に到着すると、地面１４を所定の深さの直方体状に掘削し、この掘削部の底面を砂利や砂で締め固めた後、横型貯留槽１１を掘削部に挿入する。次に縦型貯留槽１２の下部を横型貯留槽１１の位置決め孔１１ｂに挿通した後に位置決め短管１１ｄに挿入して、横型貯留槽１１に３本の縦型貯留槽１２を立設する。そして横型貯留槽１１の位置決め孔１１ｂと縦型貯留槽１２外周面との隙間をシール部材１３により塞ぐ。具体的には、嵌着用短管１３ａにリング状パッキング１３ｂを嵌着した後に、抑え用短管１３ｃ内周面と縦型貯留槽１２外周面とリング状パッキング１３ｂ上面とにより囲まれた空間にシーリング材１３ｄを充填する。また架台２０上に電動ポンプ１９を設置し、この電動ポンプ１９の吸入口と横型貯留槽１１の上面とを給水管１８により連通接続するとともに、電動ポンプ１９の吐出口と雨水１６の利用先とを給水管１８により連通接続した後に、掘り出された土砂を掘削部と横型貯留槽１１との隙間や横型貯留槽１１の上面に埋め戻す。これにより横型貯留槽１１の全部及び３本の縦型貯留槽１２の下部が地中に埋設され、３本の縦型貯留槽１２の中央部から上部が地上にそれぞれ突出する。
【００２１】
上記設置作業では各縦型貯留槽１２の位置決め作業が容易になるので、３本の縦型貯留槽１２を容易に設置することができる。また各縦型貯留槽１２が横型貯留槽１１の上壁１１ａ及び下壁１１ｃに対し全て直角方向に延びて設けられるので、横型貯留槽１１をその上壁１１ａ及び下壁１１ｃが水平になるように地中に埋設することにより、全ての縦型貯留槽１２が鉛直方向に延びた状態で地上に突出する。この結果、３本の縦型貯留槽１２の見栄えを損なうことはない。更に、縦型貯留槽１２の地中への埋設長さは、２５〜４０％、好ましくは３０〜３５％に設定される。例えば、縦型貯留槽１２の全長が３ｍである場合、縦型貯留槽１２の地中への埋設長さは１ｍ程度であることが好ましい。縦型貯留槽１２の地中への埋設長さを２５〜４０％の範囲内に限定したのは、２５％未満では縦型貯留槽１２の起立安定性が損なわれ、４０％を越えると地面の掘削作業性が悪くなるからである。
【００２２】
次に３本の縦型貯留槽１２のうち隣接する縦型貯留槽１２を上部連通管２３によりそれぞれ連通接続する。このとき３本の縦型貯留槽１２の間隔が一定に保たれているので、隣接する縦型貯留槽１２の上部を同一長さの上部連通管２３により比較的容易に連通接続することができる。その後、３本の縦型貯留槽１２のうち地上に突出する外周の全部に剛性ネット２６を掛け渡す。具体的には、剛性ネット２６を略楕円筒状に形成し、この剛性ネット２６を３本の縦型貯留槽１２に遊嵌した後に、剛性ネット２６を縦型貯留槽１２に固定する。この剛性ネット２６にはバラ等のつる植物を這わせて育成する。これにより縦型貯留槽１２の周囲の見栄えを向上できるとともに、地球環境の改善を図ることもできる。更に右側の縦型貯留槽１２の上面に流入管１７を連通接続し、左側の縦型貯留槽１２の上部に排出管２４を連通接続し、左側の縦型貯留槽１２の上下方向の中央に給水短管２１を介して蛇口２２を連通接続する。このような比較的簡単な作業で雨水貯留装置１０を設置できる。
【００２３】
なお、この実施の形態では、雨水貯留装置を部品で搬送して設置現場で組立てたが、雨水貯留装置が比較的小型であれば、雨水貯留装置を工場で組立てた後に、この組立てた雨水貯留装置を設置現場に搬送してもよい。この場合、現場での雨水貯留装置の設置作業時間を短縮することができる。
【００２４】
このように設置された雨水貯留装置１０の動作を説明する。雨が降って、家屋やビルディング等の建物の屋根や屋上に落下した雨水１６は樋及び流入管１７を通って右側の縦型貯留槽１２に流入する。この雨水１６は先ず横型貯留槽１１及び３本の縦型貯留槽１２の下部に貯留され、更に雨水１６が流入すると、横型貯留槽１１から上方に突出する３本の縦型貯留槽１２に貯留されていく。このとき３本の縦型貯留槽１２内の空気は上部連通管２３及び排出管２４を通って縦型貯留槽１２外に排出される。この雨水貯留装置１０に貯留された雨水１６を庭の植木などへの散布に利用する場合には、電動ポンプ１９を作動させる。これにより横型貯留槽１１内の雨水１６が給水管１８を通って利用先に圧送されるので、この雨水１６を植木などに散布することができる。一方、雨水貯留装置１０内の雨水１６をバケツに汲む場合には、蛇口２２を操作して給水短管２１を開く。これにより３本の縦型貯留槽１２内の雨水１６のうち給水短管２１より上方に位置する雨水１６が蛇口２２から流出するので、この雨水１６をバケツで受ければよい。また降雨量が多い場合には、３本の縦型貯留槽１２から溢れる雨水１６は上部連通管２３及び排出管２４を通って下水道や河川等に排出される。
【００２５】
＜第２の実施の形態＞
図５〜図８は本発明の第２の実施の形態を示す。図５〜図８において図１〜図４と同一符号は同一部品を示す。この実施の形態では、雨水貯留装置５０は、２個の横型貯留槽５１と、４本の縦型貯留槽１２とを備える。２個の横型貯留槽５１は同一形状に形成され、各横型貯留槽５１には、縦型貯留槽１２を２本ずつ立設できるようになっている。即ち、１個の横型貯留槽５１と２個の縦型貯留槽１２で１つの貯留ユニット６０が構成される。この実施の形態では、雨水貯留装置５０は２つの貯留ユニット６０を有する。各横型貯留槽５１は第１の実施の形態の横型貯留槽より長さが短くかつ上壁５１ａ上面の位置決め孔５１ｂ及び下壁５１ｃ上面の位置決め短管５１ｄの数が少ないけれども、これ以外は第１の実施の形態の横型貯留槽と略同一に構成される。また流入管１７は、２つの貯留ユニット６０のうち右側の貯留ユニット６０であって、２本の縦型貯留槽１２のうち右側の縦型貯留槽１２の上面に連通接続される。更に給水管１８は２つの貯留ユニット６０のうち左側の貯留ユニット６０の横型貯留槽５１の上面に挿入される。なお、給水管は２つの貯留ユニットの各横型貯留槽の上面に挿入してもよい。この場合、電動ポンプはそれぞれ１台ずつ合計２台必要となる。
【００２６】
一方、上部連通管２３は、各横型貯留槽５１毎、即ち各貯留ユニット６０毎に、隣接する縦型貯留槽１２の上部をそれぞれ連通接続する。具体的には、２つの貯留ユニット６０のうち左側の貯留ユニット６０の２本の縦型貯留槽１２の上部が左側の上部連通管２３により接続され、右側の貯留ユニット６０の２本の縦型貯留槽１２の上部が右側の上部連通管１２により接続される。また排出管２４は４本の縦型貯留槽１２のいずれかの上部に接続される。この実施の形態では、排出管２４は左側の貯留ユニット６０の２本の縦型貯留槽１２のうち左側の縦型貯留槽１２の上部に接続される。また隣接する２つの横型貯留槽５１は下部フレキシブル管６１により互いに連通接続される（図５、図７及び図８）。具体的には、下部フレキシブル管６１は、２つの横型貯留槽５１に他端が対向するように一端がそれぞれ接続された２つのＬ字管６１ａと、これらのＬ字管６１ａの他端を連通接続する伸縮可能な単一の蛇腹管６１ｂとを有する（図７及び図８）。
【００２７】
隣接する横型貯留槽５１のうち隣接する縦型貯留槽１２の上部は上部フレキシブル管６２により連通接続される。具体的には、左側の横型貯留槽５１に立設された２本の縦型貯留槽１２のうち右側の縦型貯留槽１２の上部と、右側の横型貯留槽５１に立設された２本の縦型貯留槽１２のうち左側の縦型貯留槽１２の上部とが上部フレキシブル管６２により連通接続される。換言すれば、左側の貯留ユニット６０の２本の縦型貯留槽１２のうち右側の縦型貯留槽１２の上部と、右側の貯留ユニット６０の２本の縦型貯留槽１２のうち左側の縦型貯留槽１２の上部とが上部フレキシブル管６２により連通接続される。上部フレキシブル管６２は、隣接する縦型貯留槽１２に他端が対向するように一端がそれぞれ接続された２つのストレート管６２ａと、これらのストレート管６２ａの他端を連通接続する伸縮可能な単一の蛇腹管６２ｂとを有する。各縦型貯留槽１２の上部に溜まった空気は上部連通管２３、上部フレキシブル管６２及び排出管２４を通って縦型貯留槽１２外に排出され、各縦型貯留槽１２から溢れる雨水も上部連通管２３、上部フレキシブル管６２及び排出管２４を通って縦型貯留槽１２外に排出されるように構成される。
【００２８】
また４本の縦型貯留槽１２のうち地上に突出する外周の全部に剛性ネット６６が掛け渡される（図６及び図７）。即ち、剛性ネット６６により４本の縦型貯留槽１２のうち地上に突出する外周を一括して囲むように構成される。なお、４本の縦型貯留槽のうち地上に突出する外周の全部ではなく、４本の縦型貯留槽のうち地上に突出する外周の一部に剛性ネットを掛け渡してもよい。具体的には、平板状の剛性ネットを４本の縦型貯留槽のうち地上に突出する外周の共通接線方向に延びて掛け渡してもよい。上記以外は第１の実施の形態と同一に構成される。
【００２９】
このように構成された雨水貯留装置５０の組立方法を説明する。先ず工場で２個の横型貯留槽５１、４本の縦型貯留槽１２等の各部品をそれぞれ製作する。次いで雨水貯留装置５０を組立てずに部品の状態で工場から設置現場まで搬送する。このとき各部品は比較的コンパクトであるので、大型トラックを用いずに小型トラックで搬送することができる。設置現場に到着すると、地面１４を所定の深さの直方体状に掘削し、この掘削部の底面を砂利や砂で締め固めた後、２個の横型貯留槽５１を一列に延びた状態で掘削部内に並べる。次に縦型貯留槽１２の下部を横型貯留槽５１の位置決め孔５１ｂに挿通した後に位置決め短管５１ｄに挿入して、各横型貯留槽５１に縦型貯留槽１２を２本ずつ立設する。そして横型貯留槽５１の位置決め孔５１ｂと縦型貯留槽１２外周面との隙間をシール部材１３により塞ぐ（図５）。また２個の横型貯留槽を下部フレキシブル管により連通接続する。更に架台２０上に電動ポンプ１９を設置し、この電動ポンプ１９の吸入口と横型貯留槽５１の上面とを給水管１８により連通接続するとともに、電動ポンプ１９の吐出口と雨水１６の利用先とを給水管１８により連通接続した後に、掘り出された土砂を掘削部と横型貯留槽５１との隙間や横型貯留槽５１の上面に埋め戻す。これにより２個の横型貯留槽５１の全部及び４本の縦型貯留槽１２の下部が地中に埋設され、４本の縦型貯留槽１２の中央部から上部が地上にそれぞれ突出する。
【００３０】
上記設置作業では各縦型貯留槽１２の位置決め作業が容易になるので、４本の縦型貯留槽１２を容易に設置することができる。また各縦型貯留槽１２が横型貯留槽５１の上壁１１ａ及び下壁１１ｃに対し全て直角方向に延びて設けられるので、各横型貯留槽５１をその上壁５１ａ及び下壁５１ｃが水平になるように地中に埋設することにより、全ての縦型貯留槽１２が鉛直方向に延びた状態で地上に突出する。この結果、４本の縦型貯留槽１２の見栄えを損なうことはない。更に２個の横型貯留槽５１の配置間隔が多少変化しても、その変化が下部フレキシブル管６１及び上部フレキシブル管６２の伸縮により吸収できるので、設置現場での雨水貯留装置５０の組立作業性を向上できる。
【００３１】
次に横型貯留槽５１毎に２本の縦型貯留槽１２を上部連通管２３により連通接続する。このとき横型貯留槽５１毎に２本の縦型貯留槽１２の間隔が一定に保たれているので、各横型貯留槽５１に用いられる上部連通管２３の長さを同一にすることができ、設置現場で上部連通管２３の長さを調整する手間を省くことができる。また左側の横型貯留槽５１に立設された２本の縦型貯留槽１２のうち右側の縦型貯留槽１２の上部と、右側の横型貯留槽５１に立設された２本の縦型貯留槽１２のうち左側の縦型貯留槽１２の上部とを上部フレキシブル管６２により連通接続する。その後、４本の縦型貯留槽１２のうち地上に突出する外周の全部に剛性ネット６６を掛け渡す。具体的には、剛性ネット６６を略楕円筒状に形成し、この剛性ネット６６を４本の縦型貯留槽１２に遊嵌した後に、剛性ネット６６を縦型貯留槽１２に固定する。更に右側の横型貯留槽５１に立設された２本の縦型貯留槽１２のうち右側の縦型貯留槽１２の上面に流入管１７を連通接続するとともに、この右側の縦型貯留槽１２の上下方向の中央に給水短管２１を介して蛇口２２を連通接続する。また左側の横型貯留槽５１に立設された２本の縦型貯留槽１２のうち左側の縦型貯留槽１２の上部に排出管２４を連通接続するとともに、この左側の縦型貯留槽１２の上下方向の中央に給水短管２１を介して蛇口２２を連通接続する。このような比較的簡単な作業で雨水貯留装置１０を設置できる。上記以外の組立方法は第１の実施の形態の組立方法と略同様であるので、繰返しの説明を省略する。
【００３２】
なお、この実施の形態では、雨水貯留装置を部品で搬送して設置現場で組立てたが、雨水貯留装置が比較的小型であれば、雨水貯留装置の２つの貯留ユニットを工場で組立てた後に、この組立てた２つの貯留ユニットを他の部品とともに設置現場に搬送し、設置現場で２つの貯留ユニットを下部フレキシブル管及び上部フレキシブル管により連通接続してもよい。この場合、現場での雨水貯留装置の設置作業時間を短縮することができる。
【００３３】
このように設置された雨水貯留装置５０の動作を説明する。雨が降って、家屋やビルディング等の建物の屋根や屋上に落下した雨水１６は樋及び流入管１７を通って右側の横型貯留槽５１に立設された２本の縦型貯留槽１２のうち右側の縦型貯留槽１２に流入する。この雨水１６は先ず２個の横型貯留槽５１及び４本の縦型貯留槽１２の下部に貯留され、更に雨水１６が流入すると、２個の横型貯留槽５１から上方に突出する４本の縦型貯留槽１２に貯留されていく。このとき４本の縦型貯留槽１２内の空気は上部連通管２３、上部フレキシブル管６２及び排出管２４を通って縦型貯留槽１２外に排出される。この雨水貯留装置１０に貯留された雨水１６を庭の植木などへの散布に利用する場合には、電動ポンプ１９を作動させる。これにより横型貯留槽５１内の雨水１６が給水管１８を通って利用先に圧送されるので、この雨水１６を植木などに散布することができる。一方、雨水貯留装置５０内の雨水１６をバケツに汲む場合には、蛇口２２を操作して給水短管２１を開く。これにより４本の縦型貯留槽１２内の雨水１６のうち給水短管２１より上方に位置する雨水１６が蛇口２２から流出するので、この雨水１６をバケツで受ければよい。また降雨量が多い場合には、４本の縦型貯留槽１２から溢れる雨水１６は上部連通管２３及び排出管２４を通って下水道や河川等に排出される。上記以外の動作は第１の実施の形態の動作と略同様であるので、繰返しの説明を省略する。
【００３４】
なお、第１の実施の形態では、１個の横型貯留槽に３本の縦型貯留槽を立設し、第２の実施の形態では、１個の横型貯留槽に２本の縦型貯留槽を立設したが、１個の横型貯留槽に４本又は５本以上の縦型貯留槽を立設してもよい。また、第１の実施の形態では、単一の横型貯留槽を例示し、第２の実施の形態では、互いに連通接続された２個の横型貯留槽を例示したが、互いに連通接続された３個又は４個以上の横型貯留槽であってもよく、２本の縦型貯留槽を立設した横型貯留槽と３本の縦型貯留槽を立設した横型貯留槽を互いに連通接続してもよい。
【００３５】
また、第１の実施の形態では、隣接する縦型貯留槽の上部を上部連通管により連通接続したが、上部連通管を用いずに、各縦型貯留槽の上部にエア抜き孔を設けたり或いはエア抜き管を接続してもよい。更に第２の実施の形態では、各横型貯留槽毎に隣接する縦型貯留槽の上部を上部連通管により連通接続し、隣接する横型貯留槽のうち隣接する縦型貯留槽の上部を上部フレキシブル管により連通接続したが、上部連通管及び上部フレキシブル管を用いずに、各縦型貯留槽の上部にエア抜き孔を設けたり或いはエア抜き管を接続してもよい。
【符号の説明】
【００３６】
１０，５０  雨水貯留装置
１１，５１  横型貯留槽
１１ａ，５１ａ  上壁
１１ｂ，５１ｂ  位置決め孔
１１ｃ，５１ｃ  下壁
１１ｄ，５１ｄ  位置決め短管
１２  縦型貯留槽
１２ａ  連通孔
１３  シール部材
１６  雨水
１７  流入管
１８  給水管
２４  排出管
２６，６６  剛性ネット
６１  下部フレキシブル管
【図１】
2011001791.tif 000003
【図２】
2011001791.tif 000004
【図３】
2011001791.tif 000005
【図４】
2011001791.tif 000006
【図５】
2011001791.tif 000007
【図６】
2011001791.tif 000008
【図７】
2011001791.tif 000009
【図８】
2011001791.tif 000010